(57)【要約】      （修正有）【課題】記録担体上の対応する印刷像に確実に対応する印刷データストリームを表示装置上に表示することを可能にする印刷データ言語（ＩＰＤＳ，ＡＦＰ，ＰＣＬ，ＰＳ）で存在する印刷データストリームを視覚によって検査する方法およびシステムの提供。【解決手段】・ラスタ装置によって印刷データストリームをラスタライズし、ラスタライズされた印刷データを印刷機器に緩衝記憶するステップと、・緩衝記憶され、ラスタライズされた印刷データの一部分を読み出すステップと、・読み出された、ラスタライズされた印刷データを表示装置に伝達するステップと、・ラスタライズされた印刷データを表示装置に表示するステップとを有している印刷データ言語で存在する印刷データストリームの視覚による検査のための方法並びに当該方法を実行するための製造システム。【選択図】図１６
2017001388.tif 000002
【特許請求の範囲】
【請求項１】
印刷データ言語（ＩＰＤＳ，ＡＦＰ，ＰＣＬ，ＰＳ）で存在する印刷データストリームの視覚による検査のための方法であって、当該方法は、
・ラスタ装置によって前記印刷データストリームをラスタライズし、ラスタライズされた当該印刷データを、印刷機器の印刷データ記憶装置内に緩衝記憶するステップと、
・ラスタライズされた前記印刷データの特定の一部分を読み出す要求を受け取り、実行することができる、前記印刷機器で実行可能な収集プロセスによって、緩衝記憶された、ラスタライズされた前記印刷データの一部分を読み出すステップと、
・リアルタイム性の通信接続を用いて、読み出された、ラスタライズされた前記印刷データを表示装置に伝達するステップと、
・ラスタライズされた前記印刷データを前記表示装置に表示するステップと
を有している、
ことを特徴とする、印刷データ言語（ＩＰＤＳ，ＡＦＰ，ＰＣＬ，ＰＳ）で存在する印刷データストリームの視覚による検査のための方法。
【請求項２】
ラスタライズされた、緩衝記憶された前記印刷データを、前記印刷データ記憶装置から直接的に印刷機構に供給する、請求項１記載の方法。
【請求項３】
ラスタライズされた前記印刷データを、前記表示装置に伝達する前に、前記印刷機器内でスケーリングし、
この際に有利には、事前に表示パラメーター、例えば前記表示装置の表示領域の大きさおよび／または解像度を求め、前記スケーリングを当該表示パラメーターに応じて実行する、請求項１または２記載の方法。
【請求項４】
緩衝記憶された、ラスタライズされた前記印刷データの一部分の前記読み出し前に、当該一部分が前記表示装置によって要求され、
この際に有利には、表示パラメーター、例えば前記表示装置の表示領域の大きさおよび／または解像度を共に提供する、請求項１から３までのいずれか１項記載の方法。
【請求項５】
付加的に、緩衝記憶された、ラスタライズされた前記印刷データの、記録担体の裏面に印刷されるべき第２の一部分を読み出し、
読み出された第１の前記一部分は、前記記録担体の相応する領域に表面に印刷されるべきであり、
当該２つの一部分を、前記表示装置に伝達前に重ね合わせる、請求項１から４までのいずれか１項記載の方法。
【請求項６】
緩衝記憶されている複数の色分解版から一部分を読み出し、複数の当該一部分を１つのカラー画像にまとめる、請求項１から５までのいずれか１項記載の方法。
【請求項７】
前記カラー画像を、前記表示装置において使用されている色空間に相応する色空間に変換する、請求項６記載の方法。
【請求項８】
前記表示装置に伝達されるべき前記データを、リアルタイム性の通信接続を介して伝達する、請求項１から７までのいずれか１項記載の方法。
【請求項９】
前記リアルタイム性の通信は、ＷｅｂＲＴＣ規格に従って形成されている、請求項８記載の方法。
【請求項１０】
前記表示装置に伝達された前記データを、前記表示装置で、操作領域内に表示する、請求項１から９までのいずれか１項記載の方法。
【請求項１１】
前記操作領域をブラウザに表示する、請求項１０記載の方法。
【請求項１２】
ラスタライズされた前記印刷データを、前記表示装置に伝達する前に、前記印刷機器内で圧縮し、
前記データ圧縮は有利には損失の無いデータ圧縮として構成されている、請求項１から１１までのいずれか１項記載の方法。
【請求項１３】
ファンクションコード（２７）が制御プロセスをホストコンピュータ（１０）で作成し、
前記制御プロセスは前記印刷データストリームを個々のセグメントに分割し、
前記ラスタ装置は複数のラスタコンピュータ（１１）を含んでおり、
前記制御プロセスは前記個々のセグメントを種々の前記ラスタコンピュータ（１１）に分配し、前記各セグメントは所定の色の各色分解版においてラスタライズされ、当該色分解版はインタフェースコンピュータ（１２）で収集され、
各インタフェースコンピュータ（１２）は１つの印刷機構（６）に割り当てられている、請求項１から１２までのいずれか１項記載の方法。
【請求項１４】
相応する一部分が、各色分解版から種々の前記インタフェースコンピュータ（１２）で読み出されるように、前記ホストコンピュータ（１０）に構築されているページビューモジュール（７０）が、緩衝記憶された、ラスタライズされた前記印刷データの前記一部分の前記読み出しを制御する、請求項１３記載の方法。
【請求項１５】
相応する一部分が、各色分解版から種々の前記ラスタコンピュータ（１１）で読み出されるように、前記ホストコンピュータ（１０）に構築されているページビューモジュール（７０）が、緩衝記憶された、ラスタライズされた前記印刷データの前記一部分の前記読み出しを制御する、請求項１３記載の方法。
【請求項１６】
複数の前記色分解版の、読み出された複数の前記一部分を、前記表示装置に伝達する前に、印刷像の１つの一部分にまとめる、請求項１４または１５記載の方法。
【請求項１７】
製造システム、特に印刷システムであって、
当該製造システムは複数のコンポーネントを含んでおり、当該コンポーネントはそれぞれ１つのクライアントコンピュータ（４，５，１４，１５，１７）を有しており、
当該クライアントコンピュータは、データ接続を介して、ホストコンピュータ（１０）と接続されており、
請求項１から１６までのいずれか１項記載の方法を実行するために、前記ホストコンピュータ（１０）および前記クライアントコンピュータ（４，５，１４，１５，１７）にソフトウェアが格納されており、かつ、前記ホストコンピュータ（１０）および前記クライアントコンピュータ（４，５，１４，１５，１７）で当該ソフトウェアが実行可能である、
ことを特徴とする製造システム。
【発明の詳細な説明】
【技術分野】
【０００１】
本発明は、印刷データ言語（ＩＰＤＳ，ＡＦＰ，ＰＣＬ，ＰＳ）で存在する印刷データストリームの視覚による検査のための方法に関する。
【０００２】
「Ｄｉｇｉｔａｌ  Ｐｒｉｎｔｉｎｇ−Ｔｅｃｈｎｏｌｏｇｙ  ａｎｄ  Ｐｒｉｎｔｉｎｇ  Ｔｅｃｈｎｉｃｓ  ｏｆ  ＯＣＥ  Ｄｉｇｉｔａｌ  Ｐｒｉｎｔｉｎｇ  Ｐｒｅｓｓｅｓ（２００５年２月、第９版、ＩＳＢＮ  ３−００−００１０８１−５、第２章）」に、デジタルプリントにおけるラスタ技術の基礎が記載されている。デジタルプリントでは、多くのケースにおいてハーフトーンは直接的に再現可能ではなく、印刷される部分面積と印刷されない部分面積との比率によるラスタライズによって形成される。より暗いハーフトーンを疑似するためには、印刷される点の数を多くする。この際、白い面積の割合は少なくなる。部分面積が極めて小さい場合には、人間の眼ではもはや区別がつかず、結果として生じるグレートーン若しくは色調だけが認識される。ラスタライズの種類は、印刷ジョブの作成時に、ユーザーによって設定可能である。種々のラスタ方法がある。これは例えば、ドットパターン法、振幅変調ラスタライズ（ディザ法）および周波数変調式ラスタライズ（誤差拡散）である。
【０００３】
ラスタライズされたハーフトーンの印刷の質の印象は、実質的に、ラスタ微細度、再現可能なグレー階調の数、ラスタ点の形状並びに色調値経過、規則性および再現可能性並びに輪郭等の上位構造およびモアレによって決まる。適切なラスタ方法と適切なラスタパラメーターとを選択することによって、これらのパラメーターをある程度、制御することができる。
【０００４】
印刷プレビューを実行する方法および装置がある。ここでは、印刷されるべきデータが、記録担体上に印刷されるのとできるだけ同じようにモニターに表される。この印刷プレビューは、元来の印刷過程の前に実行され、これによって、場合によって生じるエラーを識別し、修正することができる。
【０００５】
規格化された印刷フォーマットが存在する。これは例えば、ＰＤＦフォーマットであり、これは印刷像を極めて正確に再現し、有利には、規格化されたラスタ装置とともに使用される。従って、全体的な印刷プロセスにおいて、極めて早期に、最終的な印刷像が定められる。このような印刷プロセスの利点は、早期にエラーおよび問題を識別することができる、ということである。しかし、欠点は、これに続いて印刷機器自体において、印刷像の最適化を行うことができず、場合によっては、印刷機器に設けられている機能が、この印刷特性の早期の決定によって使用することができない、ということである。従って、多くの場合には、印刷機器によって可能であろう特定の品質段階付けが実行可能ではない。
【０００６】
他方では、印刷言語が存在する。これは例えば、ＩＰＤＳ、ＡＦＰ、ＰＣＬ、ＰＳである。これは印刷像を記述するが、極めて細かい細部までは設定しない。ここでは多数の印刷特性が、印刷機器においてはじめて設定される。例えば、どのラスタ方法が使用されるのかは、印刷機器においてはじめて設定される。印刷データは、種々の印刷機器で印刷され、この際に、各印刷機器の性能に合わせて印刷され、これに相応して印刷特性が調整される。これは、高性能印刷においてよくある状況である。しかし印刷特性の設定が後で行われることによって、詳細な印刷データが一致している場合でも、作成される印刷像が著しく異なってしまう。
【０００７】
独国特許出願公開第１０１２３４１１号明細書に、印刷データ言語で存在する印刷データストリームを視覚によって検査する方法およびコンピュータプログラムが開示されている。印刷機器で、印刷−ラスタプロセスが実行される。視覚によって検査するために、ディスプレイ−ラスタプロセスが実行される。これは正確に、印刷−ラスタプロセスに対応する。ディスプレイ−ラスタプロセスのラスタライズされたデータは、モニター上に表示される。
【０００８】
この方法によって、印刷データ言語で、印刷データストリームとして存在しているドキュメントの正確な、視覚による検査を実施することが可能になる。しかし、ディスプレイ−ラスタプロセスが正確に印刷−ラスタプロセスに対応しない場合には、モニター上で表示される印刷データと、記録担体上で表示される印刷データとに大きな差が生じてしまう恐れがある。
【０００９】
独国特許出願公開第１０１２３４１１号明細書には、択一的な実施形態が記載されている。ここでは、印刷データは印刷サーバーでラスタライズされ、その後、一方でラスタライズされた印刷データがモニターに示され、他方で印刷サーバーから印刷機器に伝達される。このような実施形態では、上述した問題は、相互に依存しない２つのプロセスによって印刷データをラスタライズすることによって回避される。しかし、ラスタライズの際に印刷データのデータ量が増える。従って少なくとも高性能印刷において、印刷機器が継続的に記録担体を印刷することができるように迅速に、大量の印刷データを印刷サーバーから印刷機器に伝送するのは、実際には極めて困難である。
【００１０】
本発明の課題は、記録担体上の対応する印刷像に確実に対応する印刷データストリームを表示装置上に表示することを可能にする印刷データ言語（ＩＰＤＳ，ＡＦＰ，ＰＣＬ，ＰＳ）で存在する印刷データストリームを視覚によって検査する方法およびシステムを実現することである。
【００１１】
上述の課題は、独立請求項に記載された構成要件によって解決される。本発明の有利な構成は各従属請求項に記載されている。
【００１２】
印刷データ言語（ＩＰＤＳ，ＡＦＰ，ＰＣＬ，ＰＳ）で存在する印刷データストリームを視覚によって検査する、本発明の方法は以下のステップを有している。すなわち、
・ラスタ装置によって印刷データストリームをラスタライズし、ラスタライズされた印刷データを印刷機器の印刷データ記憶装置内に緩衝記憶するステップと、
・ラスタライズされた印刷データの特定の一部分を読み出す要求を受け取りし、実行することができる、印刷機器で実行可能な収集プロセスによって、緩衝記憶された、ラスタライズされた印刷データの一部分を読み出すステップと、
・リアルタイム性の通信接続を用いて、読み出された、ラスタライズされた印刷データを表示装置に伝達するステップと、
・ラスタライズされた印刷データを表示装置に表示するステップ
とを有している。
【００１３】
この方法によって、印刷機器でラスタライズされ、印刷機器で、印刷データ記憶装置内に存在し、印刷機器の印刷機構の駆動制御に使われる印刷データが部分的に読み出され、表示装置に伝達され、そこで表示される。従ってこれによって、オリジナルデータが表示装置上に表示される。これによって、表示装置でのエラーを有する表示の恐れが格段に低減される。
【００１４】
印刷データは、印刷機器で実行可能な収集プロセスによって読み出される。この収集プロセスは、ラスタライズされた印刷データの特定の一部分を読み出す要求を受け取り、実行することができる。これによって一方では、印刷機器外部から、相応する要求によって、所定の一部分の読み出しがトリガされ、他方では、次のことが保証される。すなわち、直接的には印刷機器のデータプロセスがアクセスされず、操作されないことが保証される。これによって、データプロセスへの極めて制限されたアクセスのみが許可される。このような極めて制限されたアクセスによっては、ラスタライズされた印刷データの所定の一部分しかコピーおよび転送することができない。
【００１５】
リアルタイム性の通信接続を用いることによって、印刷機器で記録担体上に印刷される前に、印刷機器内でラスタライズされた印刷データが部分的に表示装置に伝達され、表示装置で表示されることが保証される。
【００１６】
印刷データ記憶装置内に緩衝記憶された、ラスタライズされた印刷データは、有利には直接的に、記録担体上のインク付けを駆動制御するために、印刷機構に伝達される。
【００１７】
印刷機器は、デジタルプリント用に構成されている。すなわち、印刷機構はデジタル印刷データによって駆動制御される。これによって、各印刷紙が個々の印刷像を含むことができる。
【００１８】
印刷機器は、１つまたは複数の印刷機構を含み得る。印刷機構は、印刷機器の装置であり、これによって、印刷インクが記録担体上に付けられる。印刷機器の各印刷機構は、記録担体を、通常、異なる印刷インクで印刷する。印刷インクはここで、トナー、インク、または、液体トナーである。インクジェット印刷機器では、印刷機構は、印刷ノズルを有している印刷ヘッドから形成されている。
【００１９】
ラスタライズされた印刷データは、表示装置への伝達前に、印刷機器においてスケーリングされる。ここで有利には、事前に、表示パラメーター、例えば、表示装置の表示領域の大きさおよび／または解像度が求められ、これらの表示パラメーターに応じてスケーリングが実行される。表示装置への伝達前にラスタライズされた印刷データをスケーリングすることによって、読み出された一部分のラスタライズされた印刷データを記述するデータ量が低減され、これによって、表示装置への伝送に必要なバンド幅が低減される。これによって、表示装置にリアルタイムで、より大きい印刷データ部分を表示することが可能になる。
【００２０】
緩衝記憶された、ラスタライズされた印刷データの一部分を読み出す前に、この一部分が、有利には表示装置によって要求される。ここでは、表示パラメーター、例えば、表示装置の表示領域の大きさおよび／または解像度が、共に提供される。
【００２１】
記録担体の裏面に印刷されるべき、緩衝記憶された、ラスタライズされた印刷データの第２の一部分も読み出される。読み出された第１の一部分は、表面に、記録担体の相応の領域に印刷されるべきである。これら２つの一部分は、表示装置に伝達される前に重ね合わされる。重ね合わされたこれらの一部分によって、記録担体の表面と裏面での印刷のレジスタマークが合っているかを検査することができる。記録担体の裏面のデータはミラー反転されて、表示装置に表示される。一緒に表示した際に、裏面のデータと、表面のデータとを区別するために、表示中に各情報は異なって、特に異なる色で示される。記録担体の表面のデータと裏面のデータとを重ね合わせる際に、裏面のデータは、表面のデータに対して付加的にスケーリングされ、これによって、表面の印刷過程と裏面の印刷過程との間の記録担体の収縮を補償することができる。これは、特に、トナー粒子を定着させるため、または、インクを乾燥させるために記録担体が加熱される印刷過程において有利である。
【００２２】
さらに、緩衝記憶された、ラスタライズされた印刷データの一部分を読み出す際に、相応する各色分解版を読み出し、これらの色分解版を１つのカラー画像にまとめるのが有利である。有利には、このカラー画像は、読み出された、ラスタライズされた印刷データを表示装置に伝送する前に、表示装置で使用されている色空間に相当する色空間に変換される。これは通常は、ＲＧＢ色空間若しくはｓＲＧＢ色空間である。印刷データを記述する印刷データストリームは、特に、デジタルプリントにおいて使用され、これによって、各ページに異なる印刷像が印刷される。緩衝記憶された、ラスタライズされた印刷データは、これが印刷機器に転送される前の短い時間しか提供されない。従ってラスタライズされた印刷データの読み出しおよび伝達ステップは、大幅な時間遅延無く、行われなければならない。従って、操作領域のユーザーは、印刷データにおけるエラー確認に早期に対応することができる。
【００２３】
有利には、印刷データストリームの特定の一部分は、アットランダムに検査される。この際に、例えば、５０から１００頁毎の一部分が表示装置に伝達され、表示される。
【００２４】
有利には、表示装置に伝達されるべきデータは、リアルタイム性の通信接続を介して伝送される。このようなリアルタイム性の通信接続は、有利には、ＷｅｂＲＴＣ規格に従って構築されている。リアルタイム性とは次のことを意味している。すなわち、印刷機器でプリントアウトされる前に、ページが大幅な遅延無く表示装置に伝達され、表示されるほど、レイテンシが短く、データ伝送レートが高い、ということを意味している。印刷機器、特にその解像度およびその印刷速度、印刷色（黒／白；ハイライトカラー；フルカラー印刷）に依存して、および、二値印刷データが存在するか、または、マルチレベル印刷データが存在するかに依存して、ページに表示されるデータ量と、印刷機器によって記録担体に印刷される前に、このページを表示装置に表示するのに使用可能な時間とが、著しく異なってくるので、リアルタイム性の通信を提供するための、レイテンシおよびデータレートへの要求は相応に異なる。実際には、レイテンシは如何なる場合でも５０ｍｓよりも長く続くべきでないことが判明している。有利には、レイテンシは、１ｍｓ若しくは１００μｓ、特に１０μｓ若しくは５μｓを超えない。データ伝送レートは少なくとも、１０ＧＢｉｔ／ｓであるべきである。有利には、データレートは、少なくとも２０ＧＢｉｔ／ｓまたは特に少なくとも２５ＧＢｉｔ／ｓ若しくは少なくとも３０ＧＢｉｔ／ｓである。
【００２５】
表示装置としては、有利には、コンピュータ（ＰＣ，タブレット，携帯電話）が使用される。これはモニターを有しており、このモニターに、操作領域が表示される。ここでこの操作領域内に、ラスタライズされた印刷データが表示される。この操作領域は有利にはブラウザにおいて表示される。
【００２６】
表示装置への伝達前に、印刷機器において、ラスタライズされた印刷データを圧縮してもよい。このために、有利には、損失の無いデータ圧縮が使用される。
【００２７】
製造システムは有利には、液体トナー印刷機器である。
【００２８】
液体トナー印刷機器は、印刷されるべき記録担体上にトナー粒子が、現像液によって被着される印刷機器である。このために、電荷画像担体の静電潜像が現像液によって、電気泳動によって、インク付けされる。このようにして生じたトナー像は、間接的に転送部材を介して、または、直接的に記録担体に伝送される。現像液は、所望の割合でトナー粒子とキャリア液とを有している。キャリア液としては、有利には鉱油が使用される。トナー粒子に静電荷を付けるために、現像液に電荷制御剤が添加される。付加的に、さらなる添加剤が、例えば、現像液の所望の粘性または所望の乾燥特性を得るために加えられる。
【００２９】
このようなデジタルプリンタは、例えば、独国特許出願公開第１０２０１００１５９８５号明細書、独国特許出願公開第１０２００８０４８２５６号明細書、独国特許出願公開第１０２００９０６０３３４号明細書若しくは独国特許出願公開第１０２０１２１１１７９１号明細書から公知である。
【００３０】
本発明を以下で、例示的に、図面に基づいて説明する。
【図面の簡単な説明】
【００３１】
【図１】デジタルプリンタの例示的なコンフィギュレーションを有するデジタルプリンタの図
【図２】印刷機器、制御装置、制御装置と接続された機器の概略的なブロック回路図
【図３】制御装置のホストコンピュータと、このホストコンピュータと接続されているクライアントコンピュータの概略的なブロック回路図
【図４】制御装置若しくはクライアントコンピュータのハードウェアコンポーネントおよびソフトウェアコンポーネントの概略図
【図５】制御装置若しくはクライアントコンピュータのハードウェアコンポーネントおよびソフトウェアコンポーネントの概略図
【図６】制御装置若しくはクライアントコンピュータのハードウェアコンポーネントおよびソフトウェアコンポーネントの概略図
【図７】制御装置若しくはクライアントコンピュータのハードウェアコンポーネントおよびソフトウェアコンポーネントの概略図
【図８】制御装置若しくはクライアントコンピュータのハードウェアコンポーネントおよびソフトウェアコンポーネントの概略図
【図９】制御装置若しくはクライアントコンピュータのハードウェアコンポーネントおよびソフトウェアコンポーネントの概略図
【図１０】制御装置若しくはクライアントコンピュータのハードウェアコンポーネントおよびソフトウェアコンポーネントの概略図
【図１１】制御装置若しくはクライアントコンピュータのハードウェアコンポーネントおよびソフトウェアコンポーネントの概略図
【図１２】制御装置若しくはクライアントコンピュータのハードウェアコンポーネントおよびソフトウェアコンポーネントの概略図
【図１３】制御装置若しくはクライアントコンピュータのハードウェアコンポーネントおよびソフトウェアコンポーネントの概略図
【図１４】制御装置若しくはクライアントコンピュータのハードウェアコンポーネントおよびソフトウェアコンポーネントの概略図
【図１５】印刷データ言語で存在する印刷データストリームを視覚によって検査する方法のフローチャート
【図１６】印刷データ言語で存在する印刷データストリームを視覚によって検査する方法の一部のフローチャート
【００３２】
デジタル印刷システムの実施例は、印刷機器１を含んでいる（図１および２）。
【００３３】
図１では、印刷機器１である、記録担体１２０の印刷を行うデジタルプリンタは、トナー像（印刷像）を記録担体１２０上に印刷する１つまたは複数の印刷機構１１１ａ−１１１ｄおよび１１２ａ−１１２ｄを有している。記録担体１２０として、図示のように、ウェブ状の記録担体１２０がロール１２１から繰出し器７ａを用いて繰出され、第１の印刷機構１１１ａに供給される。定着ユニット１３０において、印刷像が記録担体１２０上に定着される。続いて、記録担体１２０は巻取り器７ｂによってロール１２８に巻取られる。こうしたコンフィギュレーションはロール・ツー・ロールプリンタとも称される。
【００３４】
図１に示されている有利なコンフィギュレーションでは、ウェブ状の記録担体１２０は、４つの印刷機構１１１ａ−１１１ｄによって表面がフルカラー印刷され、４つの印刷機構１１２ａ−１１２ｄによって裏面がフルカラー印刷される（いわゆる４／４コンフィギュレーションである）。このために、記録担体１２０は、ロール１２１から繰出し器７ａによって繰出され、オプションである調節機構１２３を介して第１の印刷機構１１１ａに供給される。調節機構１２３では、記録担体１２０が適切な材料で前処理される、または、コーティングされる。コーティング剤（プライマーとも称される）としては、有利には、ワックスまたは化学的に等価の材料が使用される。
【００３５】
このような材料は、記録担体１２０の全面、または、後に印刷されるべき箇所にのみ被着され、これによって、記録担体１２０は、印刷のために準備される、かつ／または、印刷像の被着時の記録担体１２０の吸収特性が制御される。これによって、後に被着されるトナー粒子または液体トナーが過度に記録担体１２０内に染み込むことが阻止され、実質的に表面に残る（インクの質および画像の質がこれによって改善される）。
【００３６】
続いて記録担体１２０は、まず、表面のみを印刷する第１の印刷機構１１１ａ−１１１ｄに順番に供給される。各印刷機構１１１ａ−１１１ｄは、記録担体１２０を、通常、異なる色でまたは異なるトナー材料によって印刷する。これは例えば、電磁的に読み出し可能なＭＩＣＲトナーである。
【００３７】
表面の印刷後、記録担体１２０は反転ユニット１２４で反転され、裏面印刷のために残りの印刷機構１１２ａ−１１２ｄに供給される。選択的に、反転ユニット１２４の領域に（図示されていない）別の調節機構を配置することができる。これによって、記録担体１２０が裏面印刷のために準備される。これは例えば、先行して印刷された表面印刷像（若しくは表面全体若しくは裏面全体）の表面定着（部分定着）若しくはその他の調節である。これによって、表面印刷像がさらなる搬送時に、後続の印刷機構によって機械的な損傷を受けることが阻止される。
【００３８】
フルカラー印刷を達成するには、少なくとも４色（つまり、少なくとも４つの印刷機構１１１、１１２）、特には例えば基本色ＹＭＣＫ（イエロー、マゼンタ、シアンおよびブラック）が必要である。特別色（例えば顧客の指定した色、または、印刷可能な色空間を拡張するための付加的な基本色）を備えた別の印刷機構１１１、１１２をさらに使用することも可能である。
【００３９】
印刷機構１１２ｄの後方には、見当合わせユニット１２５が配置されている。この、見当合わせユニットによって、記録担体１２０上に、印刷像とは無関係に（特には印刷像の外側に）印刷されたレジストレーションマークが評価される。これにより、横レジスタマークおよび縦レジスタマーク（色点を形成する基本色点が上下にまたは空間的に相互にきわめて近い位置に配置される；これは色レジスタマーク若しくは４色レジスタマークとも称される）と見当合わせ（表面および裏面の位置が正確に一致しなければならない）とが調整され、これにより質的に良好な印刷像が得られる。
【００４０】
見当合わせユニット１２５の後方には定着ユニット１３０が配置されており、この定着ユニット１３０によって印刷像が記録担体１２０上に定着される。電気泳動方式のデジタルプリンタでは、定着ユニット１３０として、有利には、トナー粒子のみが記録担体１２０上に残るよう、キャリア液をほぼ蒸発させるサーモドライヤが使用される。これは、熱の作用で行われる。ここで、トナー粒子が熱作用によって溶融可能な材料、例えば樹脂から製造されている場合には、トナー粒子が記録担体１２０上で溶融されてもよい。
【００４１】
定着ユニット１３０の後方には、記録担体１２０を全ての印刷機構１１１ａ−１１２ｄと定着ユニット１３０とを通して牽引するトラクション機構１２６が配置されており、当該領域に別の駆動部は配置されていない。というのは、記録担体１２０に対する摩擦駆動部を設けると、まだ定着されていない印刷像が消失するおそれが生じるからである。
【００４２】
トラクション機構１２６は、記録担体１２０を巻取り器７ｂへ供給し、この巻取り器７ｂは印刷された記録担体１２０を巻取る。
【００４３】
印刷機構１１１、１１２および定着ユニット１３０の中央には、デジタルプリンタ１に対する全体的な管理装置群、例えば、空調モジュール１４０、エネルギー供給部１５０、制御装置２（コントローラ）、および、液体管理部１７０のモジュールが配置されている。液体管理部１７０は例えば、種々の液体の液体制御ユニット１７１および保管容器１７２などである。液体として、特には、純粋なキャリア液、高濃度の現像液（キャリア液に比べてトナー粒子の割合の高い液体）、および、セラム（現像液に電荷制御剤を加えたもの）が、デジタルプリンタ１を管理するために必要とされ、さらに、汚染物除去されるべき液体用の排出容器または洗浄液用の容器が必要とされる。
【００４４】
デジタルプリンタ１は、自身の同じ構造の印刷機構１１１、１１２によってモジュラー状に構成されている。印刷機構１１１、１１２は機械的には同じであり、内部で使用される現像液（トナーの色若しくはトナーの種類）の点のみ異なる。
【００４５】
こうした印刷機構１１１、１１２は電子写真方式をベースとしており、ここでは帯電したトナー粒子を含む現像液を用いて、電子写真画像担体にインク付けを行い、生じた画像が記録担体１２０へ移行される。
【００４６】
印刷機構１１１、１１２は、主として、電子写真ステーションと、現像ステーションと、転写ステーションとから成る。
【００４７】
このような高性能デジタルプリンタは、モデルおよびコンフィギュレーションに応じて、長さ１０ｍ〜３０ｍにわたって延在する。従って、有利には複数の操作領域が設けられるべきである。この操作領域によって、複数の人間が同時に、デジタルプリンタのデータを読み、操作領域の複数の箇所で、目視による検査をすることができる。
【００４８】
印刷機器１は、制御装置２と印刷ユニット３とを有している。制御装置２は、印刷ユニット３によって印刷可能であるように印刷タスクを処理するように構成されている。ここでは、印刷データ言語で存在する印刷タスクが、ラスタライズされたデータに変換されなければならない。これは通常、特に、印刷データのラスタライズを含む複数の中間ステップにおいて実行される。
【００４９】
印刷ユニット３は、内部の制御装置を有している。これは、１つの印刷機器制御部４と複数の印刷機構制御部５（ＢＤＢ：ｂａｒ−ｄｒｉｖｉｎｇ−ｂｏａｒｄ）とを有している（図２）。印刷機構制御部５は、ラスタライズされた印刷データを、相当する印刷機構６に伝達する。これらの、ラスタライズされた印刷データは、二値の印刷データか、または、マルチレベルの印刷データである。二値の印刷データの場合には、各ビットは、１つの印刷点（ドット）を表す。このビットが設定されている場合には、相応する印刷点が印刷される。このビットが設定されていない場合には、相応する印刷点は印刷されない。マルチレベル印刷データの場合には、各印刷点には、複数のビットから成る、１つのデータ語が割り当てられている。このデータ語によって、各印刷点がどのような大きさで印刷されるべきかが決められている。
【００５０】
印刷機器制御部４は、印刷ユニット３のメインモジュール、紙搬送を制御し、印刷機構６に関する一般的な制御タスクを実行する。印刷機器制御部４は、前処理機器および後処理機器に対するインタフェースを有している。これらは、特に、繰出し器７ａおよび巻取り器７ｂを含んでいる。さらなる前処理機器および後処理機器、例えば切断機、封函機等が接続されていてよい。
【００５１】
制御装置２は、印刷サーバー８から制御装置２に伝達された印刷タスクを処理するために用いられる。このような印刷タスク若しくは印刷ジョブは、通常、印刷データとジョブチケットとから成る。印刷データは、印刷データ言語、例えばＩＰＤＳ、ＡＦＰ、ＰＣＬ、ＰＳで存在し、印刷データストリームとして、印刷機器１の制御装置２に伝達される。ジョブチケットは、印刷データがどのように処理されるべきかの指示を含んでいる。制御装置２は複数のコンピュータユニットを有しており、これらのコンピュータユニットは、内部ＬＡＮ９を介して相互に接続されている。ＬＡＮ９は、例えば、イーサーネットまたはインフィニバンドとして形成可能である。コンピュータユニットは、ホストコンピュータ１０と複数のラスタコンピュータ１１と複数のインタフェースコンピュータ１２とを含んでいる。
【００５２】
ホストコンピュータ１０は、印刷タスクを受け取り、印刷タスクの各部分を、印刷データをラスタライズする複数のラスタコンピュータ１１に分配する。ホストコンピュータ１０は、この際に、ラスタコンピュータ１１に、できるだけ均等に負荷がかかるよう、試みる。
【００５３】
ラスタコンピュータ１１は、印刷データを、印刷機構６を駆動制御するのに適した、ラスタライズされた印刷データに変換する。ラスタライズされたこの印刷データは、ラスタコンピュータ１１からインタフェースコンピュータ１２に、内部ＬＡＮ９を介して転送される。
【００５４】
インタフェースコンピュータ１２では、ラスタライズされた印刷データが、緩衝記憶装置内に緩衝記憶される。各インタフェースコンピュータ１２はそれぞれ、光ファイバー１３によって、複数の印刷機構制御部５のうちの１つと接続されており、光ファイバー１３を介して、ラスタライズされた印刷データを、特定の色を印刷する、相応する印刷機構制御部５に伝送する。従ってインタフェースコンピュータ１２では、印刷データは、各印刷機構６の色分解版の形態で存在する。
【００５５】
印刷機器制御部４は、制御装置２の内部ＬＡＮ９の外部のインタフェースに接続されており、制御装置２のホストコンピュータ１０から、印刷機器および前処理機器および後処理機器を駆動制御するための制御命令を受け取る。
【００５６】
制御装置２の内部ＬＡＮ９は、１つまたは複数の操作領域コンピュータ１４および／または１つまたは複数のサービスコンピュータ１５と接続するための、さらなる、外部のインタフェースを有していてよい。
【００５７】
さらに、制御装置２はルーター１６を有しており、このルーターに、ＷＡＮを介して、サービスコンピュータ１７が接続可能である。
【００５８】
プリンタ操作領域コンピュータ１８は、ＳＰＯ−ＬＡＮ（Ｓｅｒｖｉｃｅ  Ｐａｎｅｌ  Ｏｐｅｒａｔｏｒ−ＬＡＮ）を介して、直接的に、制御装置２のホストコンピュータ１０と接続されている。プリンタ操作領域コンピュータ１８は、印刷データをコントロールする、および、制御するために用いられる。このプリンタ操作領域コンピュータ１８は、典型的に、オペレーターによって使用される。このオペレーターは、印刷システムでの種々の印刷過程のフローを制御する。これに対して、操作領域コンピュータ１４若しくはサービスコンピュータ１５は、印刷システム自体の継続的な動作に対して責任を有するオペレーターまたはサービス技術者によって使用される。
【００５９】
印刷システムは複数の操作領域コンピュータ１４および／または複数のサービスコンピュータ１５を有し得る。これは、複数のプリンタ操作領域コンピュータ１８と接続されていてもよい。
【００６０】
サービスコンピュータ１５、１７は、操作領域コンピュータ１４と、そのアクセス権限において異なっている。ここでこのサービスコンピュータ１５、１７は、操作領域コンピュータ１４と比べて、印刷システムでのより多くの調整を行ってよい。これを、以降で説明する。サービスコンピュータでは、例えば、印刷システムで、ソフトウェアコンポーネントのインストールも行うことができる。これは、操作領域コンピュータ１４では不可能である。
【００６１】
制御装置２は、遠隔保守モジュール（ＰＣＩ：Ｐｏｗｅｒ  Ｃｏｎｔｒｏｌ  Ｉｎｔｅｒｆａｃｅ）１９を有している。この遠隔保守モジュール１９によって、制御装置２は、遠隔制御されて、起動若しくは停止される。さらに、この遠隔保守モジュール１９は、制御装置２を遠隔制御するさらなる機能を提供する。
【００６２】
この印刷システムでは、複数の操作領域が、コンピュータ１４、１５、１７、１８に設けられている。
【００６３】
制御装置２のホストコンピュータ１０には、操作領域モジュールライブラリ２０が設けられている。これは複数の操作領域モジュールを含んでおり、これによって、印刷機器１に対する操作領域が、コンピュータディスプレイに表示可能になる（図３）。操作領域モジュールは、コンピュータディスプレイに表示された操作領域を介した印刷機器１の制御も可能にする。
【００６４】
プリンタ操作領域コンピュータ１８は、ＳＰＯ−ＬＡＮを介して、操作領域モジュールライブラリ２０と接続されている。プリンタ操作領域コンピュータ１８には、クライアントプログラムが設けられており、これによって操作領域が表示され、相応の制御機能が実行される。
【００６５】
操作領域モジュールライブラリ２０は、ウェブサーバーであるウェブユーザーインタフェース２１と接続されている。これによって、操作領域モジュールライブラリ２０の操作領域モジュールがブラウザ内で使用可能になる。この実施例では、ウェブユーザーインタフェース２１は、アパッチトムキャットサーバーによって実現されている。基本的に、ここでは別のウェブサーバーも適している。
【００６６】
このウェブユーザーインタフェース２１は、直接的に、同じコンピュータ上に設けられているブラウザ２２と通信することができる。ここで、この通信はウェブソケット２４、２５を介して実行される。別のコンピュータ１４、１５上に設けられている「外部の」ブラウザ２３との通信のために、ウェブユーザーインタフェース２１は、それぞれ１つの別のウェブソケット２４と結合されている。ウェブソケット２４、２５はソフトウェアモジュールであり、これはインタフェースを形成する。このインタフェースは、恒久的な論理的なインターネット接続を、ブラウザに対して形成することができる。このブラウザは、データ接続部を介して、コンピュータと接続されており、このコンピュータにウェブソケット２４、２５が配置されている。ここでは、このデータ接続部は例えばデータネットワークである。
【００６７】
従って、ホストコンピュータ１０のブラウザ２２およびコンピュータ１４、１５のブラウザ２３には、恒久的に、ウェブユーザーインタフェース２１の情報が供給される、若しくは、常に、情報、殊にメッセージを、ウェブユーザーインタフェース２１に伝達する。ブラウザ２２、２３はこのために、それぞれ１つの、対応するウェブソケット２５を有している。
【００６８】
以下で、種々のコンピュータに設けられている個々のソフトウェアモジュールを詳細に説明する。
【００６９】
ホストコンピュータ１０には、上述した操作領域モジュールライブラリ２０、ウェブユーザーインタフェース２１およびブラウザ２２の他に、動作システム２６、ファンクションコード２７、ハードウェアに対するインタフェースのためのインフラストラクチャマネージャ２８、ウェブユーザーインタフェースデータバンク２９、ウェブユーザーインタフェースプラグイン３０、トレースモジュール３１およびページビューモジュール７０が設けられている（図４）。
【００７０】
トレースモジュール３１は、制御装置２および／または印刷ユニット３内で実行される全てのソフトウェアコンポーネントおよび／または他のコンピュータ８、１４、１５、１６、１７、１８上で実行される「外部の」全てのソフトウェアコンポーネントのエラープロトコールを記録するために設けられている。
【００７１】
ファンクションコード２７は、特に、印刷に関するソフトウェアルーチンを実行するように構成されている。これは例えば、ホストコンピュータ１０による、ラスタコンピュータ１１への印刷データの負荷分配、印刷データのラスタライズのためのラスタコンピュータ１１上でのラスタ計算、インタフェースコンピュータ１２上でのラスタライズされた印刷データの緩衝記憶（キャッシング）の制御および操作領域上での、ラスタライズされた印刷データの表示の制御である。このファンクションコード２７によって、詳細な印刷タスクが次のように処理される。すなわちこの印刷タスクが、印刷ユニット３でプリントアウト可能であるように処理される。
【００７２】
ファンクションコード２７は、ホストコンピュータ１０に、印刷ジョブを得た際に、ジョブチケットを緩衝記憶し、ラスタコンピュータ１１への印刷ジョブの分配時に、各印刷ジョブのラスタライズされるべき一部分に対する、ラスタコンピュータ１１の割り当てに関する割り当て情報を緩衝記憶する。
【００７３】
さらにファンクションコード２７は、ホストコンピュータ１０で、インタフェースコンピュータ１２での印刷のための、ラスタライズされた印刷データの分配時に、各インタフェースコンピュータ１２に緩衝記憶された、ラスタライズされた印刷データに関する分配情報を記憶する。
【００７４】
ページビューモジュール７０は、このために、印刷データ言語で存在する印刷データストリームを視覚によって検査する方法を実行するために用いられる。これをさらに以下で詳細に説明する。
【００７５】
ウェブユーザーインタフェースデータバンク２９は、ウェブユーザーインタフェース２１を動作させるための全ての永続的なデータを含んでいる。これは例えば、長時間データ、ユーザーコンフィギュレーションのためのデータ、例えばセンサのための設定、初期化データ、以降で説明するコントロール構造のためのデータ、並びに、ウェブユーザーインタフェース２１を動作させるのに必要なさらなるデータである。
【００７６】
ウェブユーザーインタフェースプラグイン３０は、局部的なまたは別の外部のコンピュータとの通信のために用いられる。このコンピュータでは、対応するウェブユーザーインタフェースプラグインが設けられている。ウェブユーザーインタフェースプラグイン３０には、所定のタスク若しくはアプリケーションが格納されている。
【００７７】
操作領域モジュールライブラリ２０は、多数の操作領域モジュールを含んでいる。これらを以降で、より詳細に説明する（図５）。
【００７８】
ＤＥエージェント（Ｄｅｖｉｃｅ  Ａｇｅｎｔ）３２は、操作領域と印刷システムとの間の通信のためのデータ接続を確立し、操作領域と印刷システムとの間の接続要素である。さらに、ＤＥエージェント３２は、プリンタ状況を提供するために、規格化されたインタフェースを提供する。
【００７９】
ＲＭＩサーバー（Ｒｅｍｏｔｅ  Ｍｅｔｈｏｄ  Ｉｎｖｏｃａｔｉｏｎ  Ｓｅｒｖｅｒ）３３は、外部コンピュータによって呼び出し可能であり、コンピュータ上で実行される機能を有している。このコンピュータ上で、例えば、イベントのさらなる処理のためにＲＭＩサーバーが実現される。さらに、これは、このような遠隔アクセスを容易にする、若しくは、可能にする機能を提供する。
【００８０】
ＯＲＳエージェント（ＯＣＥ  Ｒｅｍｏｔｅ  Ｓｅｒｖｉｃｅ  Ａｇｅｎｔ）３４は、ハードウェアデータおよびソフトウェアイベントのデータを収集し、これらのデータをホストコンピュータ１０からサービスセンターのコンピュータ（図示されていない）にＷＡＮ（Ｗｉｄｅ  Ａｒｅａ  Ｎｅｔｗｏｒｋ）を介して伝達する。
【００８１】
トレースエージェント３５は、他のモジュールのトレースデータの記録若しくはロギングおよびこのデータの処理を可能にする。
【００８２】
ウェブサーバー３６は、ホストコンピュータ１０からコンピュータ１４へのプログラムライブラリのダウンロードを可能にする。これは例えば、Ｊａｖａプログラムライブラリのダウンロードである。これによって操作領域をこのコンピュータ１４上に表示し、制御することが可能になる。さらに、ウェブサーバー３６は、ウェブスタート機能を準備する。これは例えば、Ｊａｖａウェブスタート機能である。これによって操作領域をコンピュータ１４上で初期化することができる。この実施例では、ウェブサーバー３６は、アパッチトムキャットサーバーによって実現されている。基本的にはこれに、それぞれ別のウェブサーバー、それぞれ別のプログラムライブラリおよび／またはそれぞれ別のウェブスタート機能も適している。
【００８３】
システムパラメータマネージャ３７（ＳＰマネージャ）は、モジュール間のデータ分配のために用いられる。
【００８４】
ＳＥＡエージェント（Ｓｅｒｖｉｃｅ  Ｅｖｅｎｔｌｏｇ  Ａｇｅｎｔ）３８は、プロトコール若しくは発生したイベントのログファイルを導く。
【００８５】
ＯＰマスター３９は、ネットワークインタフェースを提供する。これは例えば、パラメーターを印刷装置３に伝送する、および、印刷装置３から伝送するためのＳＮＭＰゲートウェイである。
【００８６】
ＵＩＣエージェント（Ｕｓｅｒ  Ｉｎｔｅｒｆａｃｅ  Ｃｏｎｔｒｏｌｌｅｒ  Ａｇｅｎｔ）４０は、ホストコンピュータ１０と接続されている印刷システムの特定の状態の所定のフローの制御若しくは設定を可能にする。例えば、これによって印刷装置３の起動が、自動的に行われる。
【００８７】
ＴＲファイルコレクタ４１は、トレースエージェント３５にして付加的なエージェントとして、遠隔製造者によって提供された、ホストコンピュータ１０上で実行されるプログラムのトレースデータを収集し、処理する。
【００８８】
Ｏｐｓ−ＰＡＣ（Ｏｐｓ  Ｐｒｉｖｉｌｅｇｅｄ  Ａｃｃｅｓｓ  Ｓｅｒｖｉｃｅ）４２は、特権（アドミニストレーター権限）を、特定の機能を実行する他のエージェント若しくはアプリケーションに割り当てるために用いられる。この特権は一時的に、エージェント若しくはアプリケーションに所望の作用を与えるために必要である。
【００８９】
ＲＤＰエージェント（Ｒｅｍｏｔｅ  Ｄｉａｇｎｏｓｉｓ  Ｐｒｏｚｅｓｓ  Ａｇｅｎｔ）４３は、内部のサービスインタフェースを提供する。
【００９０】
エラーエージェント４４は、エラーを設定する、収集する、分配する、表示するおよびリセットするために用いられる。
【００９１】
ＣＤＣエージェント４５は、他のエージェント若しくはモジュールの印刷パラメーターの、他の印刷装置３の他の制御装置２への、規格化された転送のために用いられる。これらの印刷パラメーターは、例えば紙の幅、色等である。
【００９２】
ウェブユーザーインタフェース２１は、多数のウェブユーザーインタフェースモジュールを含んでいる。これを以下で詳細に説明する（図６）。
【００９３】
ウェブサーバーモジュール４６、例えば、アパッチトムキャットは、ウェブユーザーインタフェース２１の上述したウェブサーバー機能を提供する。ウェブサーバーモジュール４６および上述したウェブサーバー３６を、ウェブサーバー内にまとめることもできる。これは、ホストコンピュータ１０上で実行可能である、若しくは、実行される。
【００９４】
ウェブサーバー４６上には、フレームワーク４７が位置する。これは、特に、操作領域を記述するデータオブジェクトに関する、ウェブサーバーモジュール４６の制御に対する調整、方法、機能、クラスおよび／または構造を準備する。この実施例では、フレームワーク４７は、グレイルズフレームワークである。基本的に、ここでは、他のフレームワークも適している。
【００９５】
ウェブサーバーモジュール４６若しくはウェブユーザーインタフェース２１の制御のプログラミングは、プログラムコード４８を用いて行われる。さらに、プログラムコード４８の一部であるプログラムルーチンが、必要に応じて、ブラウザ２２、２３に、実行のために伝達される。ここでこれらの、伝達されたプログラムルーチンによって、ブラウザ２２、２３が制御される。これは有利には、以降で説明するように操作領域ファイルにある。プログラムコード４８は、１つまたは複数の（スクリプト）プログラム言語で作成されている。この実施例では、使用されている（スクリプト）プログラム言語はＪａｖａおよびＧｒｏｏｖｙである。基本的にここでは他のプログラム言語またはスクリプトプログラム言語も適している。プログラムコード４８は、プリンタ固有のプログラム、プログラムルーチン、方法、機能、クラス、構造および／または拡張を含んでいる。
【００９６】
外部のプラグイン４９および外部のライブラリ５０は、ウェブユーザーインタフェース２１のプログラミングおよび／または制御のためのさらなる機能を提供するために用いられる。
【００９７】
ウェブサーバーサービス（英語：ｓｅｒｖｉｃｅｓ）５１は、ウェブユーザーインタフェース２１によって、外部の通信パートナーに提供される。ここで外部の通信パートナーは、ウェブユーザーインタフェース外にあり、ウェブユーザーインタフェース２１と通信する、機器、設備、装置、または、ソフトウェアモジュールである。ウェブサーバーサービス５１は、外部の通信パートナーによって開始され、ウェブユーザーインタフェース２１内で機能を実行する。
【００９８】
ビュー（英語：ｖｉｅｗｓ）５２によって、操作領域のユーザーサーフェース上の表示のためのデータが処理される。
【００９９】
コントロール構造５３（英語：ｃｏｎｔｒｏｌｌｅｒｓ）は、ウェブユーザーインタフェース２１内のコントロール機能を担い、表示されるべきデータを内容的に処理し、機能およびデータを提供する。ここでは殊に、ブラウザ２２、２３の問い合わせに応じて、表示されるべきデータが、ビュー５２に提供される。
【０１００】
ウェブサーバーサービス５１は、多数のサービスコンポーネントを含んでいる。これを以下で説明する（図７）。
【０１０１】
ＩｓＭａサービス（Ｉｎｆｒａｓｔｒｕｋｔｕｒｍａｎａｇｅｒ  Ｄｉｅｎｓｔ）５４は、プラグインを呼び出すことを可能にし、「外部の」システム、例えば他のコンピュータ１１、１２上の他のＩｓＭａサービス２８と通信するために用いられる。
【０１０２】
メニューサービス５５を介して、メニュー構造が作製され、管理される。例えば「外部の」システム上に、メニューを動的にリロードすることができる。
【０１０３】
プッシュヘルパーサービス５６は、負荷分配、および、「外部の」システムへの、コントロールされた、時間的に段階的に行われるデータ伝送を可能にする。
【０１０４】
ＲＭＩサービス５７は、操作領域モジュールライブラリ２０のウェブユーザーインタフェース２１とＲＭＩサービス３３との間の通信を可能にする。
【０１０５】
スケジューラーサービス５８は、ソフトウェアイベントに反応し、時間的に事前に計画されたタスクを履行する。これは例えば、データバンクの整理である。
【０１０６】
ブラウザ２２、２３は、種々のブラウザコンポーネントを含んでいる。これらを以降で説明する（図８）。
【０１０７】
（スクリプト）プログラム言語モジュール５９は、ブラウザ２２、２３の制御のために、および、ウェブユーザーインタフェース２１によるその通信の制御のために用いられる。（スクリプト）プログラム言語モジュール５９は、スクリプトプログラム言語またはプログラム言語のためのインタープリターまたはコンパイラである。この実施例では、Ｊａｖａスクリプトが、スクリプトプログラム言語として用いられる。基本的には、ここでは他の（スクリプト）プログラム言語も適している。
【０１０８】
マークアップ言語モジュール６０は、ブラウザ２２、２３に伝送されたマークアップ言語ファイルの解釈および表示を可能にする。ここで、このマークアップ言語は、上述したように、デジタルコンテンツ、例えばテキスト、画像およびハイパーリンクを電子ドキュメントに構造化するために用いられる。この実施例では、マークアップ言語は、規格「ＨＴＭＬ（英語：Ｈｙｐｅｒｔｅｘｔ  Ｍａｒｋｕｐ  Ｌａｎｇｕａｇｅ）５」に従って実現されている。これは、今のところ、ワールド・ワイド・ウェブ・コンソーシアムによって作成されている。基本的にここでは、他のマークアップ言語も適している。
【０１０９】
ドキュメントアクセスインタフェース６１は、ブラウザ２２、２３に伝送されたマークアップ言語ファイル等の、構造化された電子ドキュメントへのアクセスを可能にするインタフェースである。ここでそのデータ構造は、ツリー構造の形態で表示される。この実施例では、ドキュメントアクセスインタフェースは、ワールド・ワイド・ウェブ・コンソーシアムによって規定された規格「ＤＯＭ（英語：Ｄｏｃｕｍｅｎｔ  Ｏｂｊｅｃｔ  Ｍｏｄｅｌ）Ｌｅｖｅｌ  ３」に従って使用される。基本的に、ここでは、他のドキュメントアクセスインタフェースも適している。
【０１１０】
設計言語モジュール６２は、フォーマッティングのためのテキストベースの設計言語若しくは構造化された電子ドキュメントのスタイルシートのための宣言型プログラム言語を提供する。この設計言語モジュール６２によって、ブラウザ２２、２３に伝達されたマークアップ言語ファイルの表示がフォーマッティングされる。この実施例では、設計言語は、ワールド・ワイド・ウェブ・コンソーシアムによって規定された規格「ＣＳＳ（英語：Ｃａｓｃａｄｉｎｇ  Ｓｔｙｌｅ  Ｓｈｅｅｔ）３」に従って実現されている。基本的にはここでは、他の設計言語も適している。
【０１１１】
ラスタコンピュータ１１は、それぞれ異なる複数のソフトウェアコンポーネントを含んでいる（図９）。この実施例では、これらのソフトウェアコンポーネントは、上述した、動作システム２６、ファンクションコード２７、インフラストラクチャマネージャ２８およびウェブユーザーインタフェースプラグイン３０である。
【０１１２】
インタフェースコンピュータ１２は、それぞれ異なる複数のソフトウェアコンポーネントを有している（図１０）。この実施例では、これらのソフトウェアコンポーネントは、上述した、動作システム２６、ファンクションコード２７、インフラストラクチャマネージャ２８およびウェブユーザーインタフェースプラグイン３０である。これらのソフトウェアコンポーネントに対して付加的に、さらに、印刷機構制御部ドライバ６３が設けられている。これは、印刷機構制御部５のインタフェースコンピュータ１２に印刷データを伝達することを可能にする。印刷機構制御部ドライバ６３は、ページビューモジュール７０およびホストコンピュータ１０のファンクションコード２７に、さらに、各インタフェースコンピュータ１２で印刷されるトナーインクに関する情報を提供する。
【０１１３】
印刷機器制御部４は、種々の複数のソフトウェアコンポーネント（図１１）を含んでいる。これらを以降で説明する。
【０１１４】
メインモジュール６４は、印刷機器制御部４の更なるソフトウェアコンポーネントを制御および監視するために用いられる。
【０１１５】
紙搬送モジュール６５は、印刷機器１の紙搬送を制御する。これは、紙搬送モジュール６５が、繰出し器７ａ、巻取り器７ｂおよび印刷ユニット３内のさらなる駆動ロール（図示されていない）を駆動制御することによって行われる。
【０１１６】
印刷ユニットモジュール６６は、センサ（図示されていない）を介して、印刷ユニット３の種々のパラメーターを検出する。これは例えば、温度、湿気、紙が存在するか否か等であり、これらは印刷能力および／または印刷の質に直接的または間接的に影響を与える。検出されたセンサデータから、印刷ユニットモジュール６６は、プリンタ状況を特定する。これは印刷ユニットモジュールが、検出されたこれらのパラメーターを評価することによって行われる。この評価は、各パラメーター値が所定の値範囲内にあるか否かを検査することによって行われる。これは、印刷ユニット３の規則的な動作を規定する。このプリンタ状況は、ホストコンピュータ１０に伝達される。
【０１１７】
遠隔保守モジュール１９は、ソフトウェアコンポーネントとして、動作システム２６とＳＮＭＰ（Ｓｉｍｐｌｅ  Ｎｅｔｗｏｒｋ  Ｍａｎａｇｅｍｅｎｔ  Ｐｒｏｔｏｃｏｌ）サービス６７とを含んでいる（図１２）。ＳＮＭＰサービス６７は、遠隔保守モジュール１９と制御装置２の他の装置との、簡単なネットワーク通信のために用いられる。
【０１１８】
操作領域コンピュータ１４は、ソフトウェアモジュールとして、動作システム２６、ブラウザ２３および操作領域ユーザーサーフェース６８とを含んでいる（図１３）。操作領域ユーザーサーフェース６８は、次のことを可能にする。すなわち、制御装置２および／または印刷ユニット３を操作するための操作領域を操作領域コンピュータ１４上に表示し、これらにおける設定を行うことを可能にする。操作領域ユーザーサーフェース６８は、上述したように、ウェブサーバー３６から操作領域コンピュータ１４上にダウンロードされたＪａｖａプログラムライブラリおよびＪａｖａウェブスタート機能によって初期化され、表示され、制御される。
【０１１９】
サービスコンピュータ１５、１７は、ソフトウェアコンポーネントとして動作システム２６、ブラウザ２３およびサービスモジュール（ＣｏＤｉ：Ｃｏｎｆｉｇｕｒａｔｉｏｎ  ａｎｄ  Ｄｉａｇｎｏｓｔｉｃｓ）６９を含んでいる（図１４）。サービスモジュール６９によって、制御装置２および／または印刷ユニット３のコンフィギュレーションが変えられ、これと並んで、制御装置２または印刷ユニット３によって、ソフトウェア診断および／またはハードウェア診断のための情報が受信される。
【０１２０】
以下で、印刷データ言語で存在する印刷データストリームの視覚による検査のための方法の実施例を説明する（図１５）。
【０１２１】
この方法はステップＳ１で始まる。ステップＳ２では、ユーザーは、ブラウザ２３の操作領域において、ページビューモードを呼び出す。これは、ユーザーが操作領域に表示されたメニューを介してページビューモードを選択することによって行われる。ページビューモードでは、視覚によって検査される印刷ジョブが選択される。これらの印刷ジョブは近頃、印刷機器１で実行されたもの、若しくは、印刷機器１で実行されているもの、若しくは、印刷機器１で今後実行されるべきものである。ブラウザ２３は、ウェブユーザーインタフェース２１に、表示された操作領域で設定されている自身の解像度並びに印刷ジョブの縮小図の表示に用いられる表示領域の大きさおよび数を伝達する。
【０１２２】
その後、ステップＳ３が実行される。ここでは、ページビューモジュール７０が、ページビューモードを通知したブラウザ２３に、データ収集プロセスを割り当てる。これらのデータ収集プロセスは、インタフェースコンピュータ１２上で実施されるプロセスである。データ収集プロセスは、ファンクションコード２７によって、各インタフェースコンピュータ１２の始動時に、インタフェースコンピュータ１２で作成され、データ収集プロセスのプログラムコードは、ファンクションコード２７の構成部分である。ファンクションコード２７は、各インタフェースコンピュータ１２上に、所定数のデータ収集プロセスを、各インタフェースコンピュータ１２の始動過程時に作成する。作成された後、データ収集プロセスは、ホストコンピュータ１０のページビューモジュール７０に、作成されたことを通知し、この通知時に自身の接続データを伝達する。
【０１２３】
その後、ステップＳ４が実行される。ここでは、ページビューモジュール７０が接続データを、ブラウザ２３とのリアルタイム接続のために提供し、ブラウザ２３に伝達する。
【０１２４】
その後、ステップＳ５が行われる。ここでは、ブラウザ２３が、伝達された接続データによって、ページビューモジュール７０に対してリアルタイム接続を構築する。このリアルタイム接続はここで、ＷｅｂＲＴＣ規格に従って構成されているリアルタイム性の通信接続である。しかしこのリアルタイム接続は、リアルタイム通信用のあらゆる他の規格に従って構成されていてもよい。リアルタイム接続は、少ないプロトコールオーバーヘッドによる短いレイテンシと、高いデータ搬送レートとを有している。
【０１２５】
その後、この方法のフローには、ステップＳ６の実行が続く。ステップＳ６では、ブラウザ２３がまず、印刷ジョブの縮小図を表示し、これらの縮小図からのユーザーによる部分的な選択の後、選択されたこの印刷像部分をページビューモジュール７０に要求する。この印刷像部分は色分解版の一部分である、または、印刷ジョブの、１つの印刷像にまとめられる幾つかの色分解版の一部分である。ここで印刷像部分が、印刷像の１頁全体または枚葉紙全体を含んでいてもよい。ページビューモジュール７０では、幾つかの色分解版を１つのカラー画像にまとめることが行われる。ブラウザ２３は、ページビューモジュール７０に印刷像部分を要求し、これを受け取り、これを表示する。ステップＳ６を以降でより詳細に説明する。
【０１２６】
その後、この方法のフローには、ステップＳ７の実行が続く。ここでは、動作が続けられるべきか否かが検査される。動作が続けられるべき場合には、再び、ステップＳ６が実行される。動作が続けられるべきではない場合には、この方法のフローはステップＳ８に移行する。動作が続けされるべきか否かは、例えば、ユーザーがブラウザ２３で、ページビューモードを終了したか否かを検査することによって検査される。
【０１２７】
次に、ステップＳ８が実行される。ここでは、ブラウザ２３は、ページビューモジュール７０とのリアルタイム接続を解除する。このリアルタイム接続は有利には、生じているデータ接続として構成されているので、ページビューモジュール７０に次のことが通知される。すなわち、ブラウザ２３がリアルタイム接続を解除したことが通知される。択一的に、ブラウザ２３はページビューモジュール７０にメッセージを送信することができる。このメッセージにおいてブラウザ２３は、ページビューモジュール７０に、リアルタイム接続が解除されたことを通知する。
【０１２８】
次に、ステップＳ９が実行される。ここでは、ページビューモジュール７０は、ブラウザ２３へのデータ収集プロセスの割り当てを終了する。すなわち、ページビューモジュール７０は、データ収集プロセスを再び、複数のブラウザ２３のうちの１つのブラウザへの新たな割り当てに対して解放する。
【０１２９】
次に、ステップＳ１０が実行される。ここでこの方法は終了する。
【０１３０】
以下で、上述したステップＳ６の個々の部分ステップをより詳細に説明する（図１６）。
【０１３１】
この方法はステップＳ２０において始まる。ステップＳ２１では、ブラウザ２３は、ページビューモジュール７０に印刷ジョブの縮小図を要求する。これらの縮小図は、次のことによって形成される。すなわち、ページビューモジュール７０が、ブラウザ２３に割り当てられた、インタフェースコンピュータ１２のデータ収集プロセスに、相応する、印刷ジョブの色分解版の一部分を要求することによって形成される。これらはまとめられ、その解像度が、ステップＳ２において伝達された、ブラウザの解像度まで下げられる、若しくは、スケーリングされ、色空間変換され、ブラウザ２３に、表示のために、各印刷ジョブに対する識別マークと共にリアルタイム通信接続を介して伝達される。縮小図として記載された印刷ジョブから、表示される一部分が選択可能である。ここで個々の色分解版、まとめられた幾つかの色分解版または印刷像にまとめられる全ての色分解版が表示可能である。色分解版はここでは、インタフェースコンピュータ１２内に存在する、複数の印刷機構６のうちの１つの印刷機構の特定の印刷色に対するラスタライズされた印刷データである。
【０１３２】
印刷像部分のスケーリングはここで次のように行われる。すなわち、縮小図として表示されるべき印刷像部分が、自身の表示パラメーター（幅ｘにおける画像点の数、高さにおける画像点の数若しくは解像度および／または大きさ）において、ブラウザ２３によって、ステップＳ２で、ページビューモジュール７０に通知された値に相当するように行われる。
【０１３３】
印刷機器１内には、印刷像若しくは印刷像部分の印刷データが、ＣＭＹＫ色空間で存在する（ＣＭＹＫ：シアン、マゼンタ、イエロー、ブラック）。また、操作領域コンピュータ１４は表示装置を有しており、この表示装置は、ｓＲＧＢ色空間での動作のために形成されている（ｓＲＧＢ：Ｓｔａｎｄａｒｄ  Ｒｏｔ  Ｇｒｕｅｎ  Ｂｌａｕ）。これは次のような結果を有する。すなわち、印刷用に存在している色空間（ＣＭＹＫ）が、表示装置に存在する色空間（ｓＲＧＢ）に、印刷像部分の表示のために、再計算されるべきであるという結果を有する。
【０１３４】
次に、ステップＳ２２が実行される。ここでは、操作者は、ブラウザ２３で、表示された縮小図から、印刷像部分をページビューモジュール７０に要求する。このために、ブラウザ２３は、印刷ジョブに対する識別マークと、表示されるべき印刷像部分を定める座標値と、色分解版情報とを提供する。この色分解版情報によって、印刷像部分のどの色分解版が、すなわちどの色分解版部分が組み合わされて表示されるべきかが定められる。有利には、ブラウザ２３は、印刷像部分の表示のために、この印刷像部分が、縮小図と比べてより大きく表示されるように、事前に表示を切り替える。このためにブラウザ２３は、印刷像部分の表示のために設けられている領域の大きさ若しくは解像度を、ページビューモジュール７０に伝達する。
【０１３５】
次に、ステップＳ２３が実行される。ここでは、ページビューモジュール７０は、ブラウザ２３から供給された情報から、相応するデータ収集プロセスにどの色分解版部分が要求されるべきかを求め、これを要求する。このために、ページビューモジュール７０は、表示されるべき色分解版部分に対して、この部分の座標を、相応するデータ収集プロセスに送信する。
【０１３６】
その後、ページビューモジュール７０から要求を受け取ったデータ収集プロセスの各々が、各インタフェースコンピュータ１２の印刷データ記憶装置（図示されていない）にアクセスし（ステップＳ２４）、これによって、印刷データ記憶装置に存在している、ラスタライズされた印刷データの、要求されている一部分を読み出す。この印刷データは、要求されている色分解版部分を表し、これらのデータは、ページビューモジュール７０に伝送される。
【０１３７】
ページビューモジュール７０は、個々のデータ収集プロセスの色分解版部分を受け取り（ステップＳ２５）、これらをまとめて、要求されている印刷像部分にする。
【０１３８】
ページビューモジュールは、上述したように印刷像部分の色空間変換を実施する（ステップＳ２６）。
【０１３９】
次に、ステップＳ２７が実行される。ここでは、ページビューモジュール７０が印刷像部分を、スケーリングファクタに従ってスケーリングする。印刷像部分のスケーリングは、ここで、次のように行われる。すなわち、表示されるべき印刷像部分が、自身の表示パラメーター（幅ｘにおける画像点の数、高さにおける画像点の数若しくは解像度および／または大きさ）において、ブラウザ２３から、ステップＳ２２でページビューモジュール７０に通知された値に相当するように行われる。これによって、できるだけ効率的かつオリジナルに近い表示が、操作領域の提供されている領域内での表示のために可能になる。操作領域に存在する表示領域の大きさが、表示されるべき印刷像部分の大きさに相当する場合、スケーリングは実施されない。すなわち、スケーリングファクタは１である。任意選択的に、印刷像部分をオリジナルの大きさ、ないしは、オリジナルの解像度で提供するために、スケーリングをオフしてもよい。
【０１４０】
次に、この方法のフローに、ステップＳ２８の実行が続く。ここでは、ページビューモジュール７０は、色分解版部分から形成された印刷像部分を、リアルタイム接続を介してブラウザ２３に伝達する。ここでは、伝達されるべきデータは効率的に、短いレイテンシで、ブラウザ２３に伝送される。
【０１４１】
次に、ステップＳ２９が実行される。ここでは、ブラウザ２３は印刷像部分を表示領域に表示する。
【０１４２】
この方法は、ステップＳ２９において終了する。
【０１４３】
図１５に示された、印刷データ言語で存在する印刷データストリームを視覚によって検査する方法によって、および、図１６に示された、印刷データ言語で存在する印刷データストリームを視覚によって検査する、部分的な方法によって、リアルタイム通信インタフェースを介して、ブラウザ２３に、要求された印刷像若しくはその色分解版を効率的および迅速にホストコンピュータ１０のページビューモジュール７０から、ブラウザ２３に伝送することができる。表示されるべき印刷データは、このために、各色分解版に対して、インタフェースコンピュータ１２に存在する印刷データから効率的に抽出され、ブラウザ２３の操作領域での表示のために、切り取られ、スケーリングされ、操作領域の表示のために色変換される。データ伝送は、ここで、リアルタイム通信を介して効率的に、迅速にかつ大きなレイテンシなく行われる。
【０１４４】
上述した方法若しくは部分的な方法によって、印刷データ言語で存在する印刷データストリームを視覚によって検査するために、印刷像若しくは印刷像部分が操作領域に表示される。ここでは、表示される印刷像部分は、印刷されるべきラスタデータに相応する。このために、インタフェースコンピュータ１２を介して印刷機構６に伝達された、ラスタコンピュータ１１によってラスタライズされたラスタデータが、データ収集プロセスによってコピーされる。上述した方法では、データ収集プロセスは、インタフェースコンピュータ１２に配置されている。しかしこれらが、ラスタコンピュータ１１に配置されていてもよく、これらはここに存在するラスタデータを読み出す。従ってデータ収集プロセスは、ラスタコンピュータ１１によって作成され、印刷機構６によって記録担体上に印刷される、印刷されるべきラスタデータのコピーを作成する。従ってデータ収集プロセスは、印刷されるべきラスタデータと同じデータをページビューモジュール７０に、各印刷像部分の表示のために、転送する。従って、操作領域に表示される印刷像部分は、印刷機構６に転送されるべきラスタデータに基づく。これによって、各印刷機構６によってプリントアウトされるオリジナルの印刷データのコントロールが実現され、ここで、このようなコントロールは、個々の印刷点の面を除いて延在可能である。
【０１４５】
印刷データ言語で存在する印刷データストリームを視覚によって検査する、上述した方法若しくは部分的な方法のさらなる利点は、この方法の実施時に、印刷のために、および、印刷像のコントロールのために、１つまたは複数のラスタコンピュータ１１を含んでいる１つのラスタユニットだけが、印刷機器１に設けられていればよい、ということである。なぜなら、このようなラスタユニットは、印刷されるべき印刷データも、表示されるべき印刷データも作成するからである。
【０１４６】
この実施例では、緩衝記憶装置（キャッシュ記憶装置）が、ラスタコンピュータ１１および／またはインタフェースコンピュータ１２に存在する。ここでは、ラスタライズされた色分解版が通常、数分間緩衝記憶される。この緩衝記憶装置は、例えば、１から数１０ないしは１００ＧＢまでの記憶装置容量を有している。これらはハードディスク、特に半導体ハードディスク（ＳＳＤ）として構成されている。
【０１４７】
付加的に、ページビューモジュール７０は、見当合わせ精度若しくはレジスタマークが合っているかを求め、表示することができる。これは、図１６において、破線の矢印によって示されている。このために、ページビューモジュール７０は、印刷過程による、場合によって生じ得る記録担体の縮みが、印刷像部分のスケーリングの際に考慮されるステップＳ２７の実行後に、印刷されるべき表面を表す印刷像部分がミラー反転されるステップＳ３１を実行する。このようなミラー反転は、適切なインデックスを選択することによって行われる。このインデックスによって、印刷像部分のデータがアクセスされる。
【０１４８】
ステップＳ３１の実施後に、再び、ステップＳ２３が実施される。ここでこのステップおよびこれに続く、印刷されるべき裏面を表す印刷像部分用のステップが実施される。
【０１４９】
印刷されるべき裏面を表す印刷像部分のためのステップＳ２７の実施時に、この印刷像部分は初めにスケーリングされ、その後、印刷されるべき表面を表す印刷像部分と次のように組み合わされる。すなわち、２つが重なるように組み合わされる。従って、表面と裏面とが同時に表示可能であり、これによって、その見当合わせ精度若しくはレジスタマークが合っているかを視覚によって検査することができる。
【０１５０】
任意選択的に、見当合わせ精度若しくはレジスタマークが合っているかの検査の実施のために、ステップＳ２６とＳ２７とを交換することができる。従って、色空間変換がステップＳ２６において、印刷されるべき表面若しくは裏面を表す印刷像部分の上述した組み合わせの後に初めて行われる。これによって、色空間変換は、組み合わされた印刷像部分に対して一度だけ実施され、この方法はより効率的に実施される。
【０１５１】
付加的に、全ての伝送、特にリアルタイム通信接続を介した伝送に対して、伝送されるべきデータを圧縮することができ、この場合には、受信の際に再び解凍される。有利には、損失の無いデータ圧縮が用いられる。
【符号の説明】
【０１５２】
１  印刷機器、  ２  制御装置、  ３  印刷ユニット、  ４  印刷機器制御部、  ５  印刷機構制御部、  ６  印刷機構、  ７ａ  繰出し器、  ７ｂ  巻取り器、  ８  印刷サーバー、  ９  内部ＬＡＮ（スイッチ）、  １０  ホストコンピュータ、  １１  ラスタコンピュータ、  １２  インタフェースコンピュータ、  １３  光ファイバー、  １４  操作領域コンピュータ、  １５  サービスコンピュータ、  １６  ルーター、  １７  サービスコンピュータ、  １８  プリンタ操作領域コンピュータ、  １９  遠隔制御モジュール、  ２０  操作領域モジュールライブラリ、  ２１  ウェブユーザーインタフェース、  ２２  ブラウザ、  ２３  ブラウザ、  ２４  ウェブソケット、  ２５  ウェブソケット、  ２６  動作システム、  ２７  ファンクションコード、  ２８  インフラストラクチャマネージャ、  ２９  ウェブユーザーインタフェースデータバンク、  ３０  ウェブユーザーインタフェースプラグイン、  ３１  トレースモジュール、  ３２  ＤＥエージェント、  ３３  ＲＭＩサーバー、  ３４  ＯＲＳエージェント、  ３５  トレースエージェント、  ３６  ウェブサーバーモジュール、  ３７  システムパラメータマネージャ、  ３８  ＳＥＡエージェント、  ３９  ＯＰマスター、  ４０  ＵＩＣエージェント、  ４１  ＴＲファイルコレクタ、  ４２  Ｏｐｓ−ＰＡＣ、  ４３  ＲＤＰエージェント、  ４４  エラーエージェント、  ４５  ＣＤＣエージェント、  ４６  ウェブサーバー、  ４７  フレームワーク、  ４８  プログラムコード、  ４９  外部プラグイン、  ５０  外部ライブラリ、  ５１  ウェブサーバーサービス、  ５２  ビュー、  ５３  コントロール構造、  ５４  ＩｓＭａサービス、  ５５  メニューサービス、  ５６  プッシュヘルパーサービス、  ５７  ＲＭＩサービス、  ５８  スケジューラーサービス、  ５９  （スクリプト）プログラム言語モジュール、  ６０  マークアップ言語モジュール、  ６１  ドキュメントアクセスインタフェース、  ６２  設計言語モジュール、  ６３  印刷機構制御部ドライバ、  ６４  メインモジュール、  ６５  紙搬送モジュール、  ６６  印刷ユニットモジュール、  ６７  ＳＮＭＰサービス、  ６８  操作領域ユーザーサーフェース、  ６９  サービスモジュール、  ７０  ページビューモジュール、  １１１、１１１ａ−１１１ｄ  印刷機構（表面）、  １１２、１１２ａ−１１２ｄ  印刷機構（裏面）、  １２０  記録担体、  １２１  ロール（入力）、  １２３  調節機構、  １２４  反転ユニット、  １２５  見当合わせユニット、  １２６  トラクション機構、  １２８  ロール（出力）、  １３０  定着ユニット、  １４０  空調モジュール、  １５０  エネルギー供給部、  １７０  液体管理部、  １７１  液体制御ユニット、  １７２  保管容器
【図１】
2017001388.tif 000003
【図２】
2017001388.tif 000004
【図３】
2017001388.tif 000005
【図４】
2017001388.tif 000006
【図５】
2017001388.tif 000007
【図６】
2017001388.tif 000008
【図７】
2017001388.tif 000009
【図８】
2017001388.tif 000010
【図９】
2017001388.tif 000011
【図１０】
2017001388.tif 000012
【図１１】
2017001388.tif 000013
【図１２】
2017001388.tif 000014
【図１３】
2017001388.tif 000015
【図１４】
2017001388.tif 000016
【図１５】
2017001388.tif 000017
【図１６】
2017001388.tif 000018
【手続補正書】
【提出日】平成28年8月18日(2016.8.18)
【手続補正１】
【補正対象書類名】特許請求の範囲
【補正対象項目名】全文
【補正方法】変更
【補正の内容】
【特許請求の範囲】
【請求項１】
印刷データ言語（ＩＰＤＳ，ＡＦＰ，ＰＣＬ，ＰＳ）で存在する印刷データストリームの視覚による検査のための方法であって、当該方法は、
・ラスタ装置によって前記印刷データストリームをラスタライズし、ラスタライズされた当該印刷データを、印刷機器の印刷データ記憶装置内に緩衝記憶するステップと、
・ラスタライズされた前記印刷データの特定の一部分を読み出す要求を受け取り、実行することができる、前記印刷機器で実行可能な収集プロセスによって、緩衝記憶された、ラスタライズされた前記印刷データの一部分を読み出すステップと、
・リアルタイム性の通信接続を用いて、読み出された、ラスタライズされた前記印刷データを表示装置に伝達するステップと、
・ラスタライズされた前記印刷データを前記表示装置に表示するステップと
を有している、
ことを特徴とする、印刷データ言語（ＩＰＤＳ，ＡＦＰ，ＰＣＬ，ＰＳ）で存在する印刷データストリームの視覚による検査のための方法。
【請求項２】
ラスタライズされた、緩衝記憶された前記印刷データを、前記印刷データ記憶装置から直接的に印刷機構に供給する、請求項１記載の方法。
【請求項３】
ラスタライズされた前記印刷データを、前記表示装置に伝達する前に、前記印刷機器内でスケーリングし、
この際に、事前に表示パラメーターを求め、前記スケーリングを当該表示パラメーターに応じて実行する、請求項１または２記載の方法。
【請求項４】
緩衝記憶された、ラスタライズされた前記印刷データの一部分の前記読み出し前に、当該一部分が前記表示装置によって要求され、
この際に、表示パラメーターを共に提供する、請求項１から３までのいずれか１項記載の方法。
【請求項５】
付加的に、緩衝記憶された、ラスタライズされた前記印刷データの、記録担体の裏面に印刷されるべき第２の一部分を読み出し、
読み出された第１の前記一部分は、前記記録担体の相応する領域に表面に印刷されるべきであり、
当該２つの一部分を、前記表示装置に伝達する前に重ね合わせる、請求項１から４までのいずれか１項記載の方法。
【請求項６】
緩衝記憶されている複数の色分解版から一部分を読み出し、複数の当該一部分を１つのカラー画像にまとめる、請求項１から５までのいずれか１項記載の方法。
【請求項７】
前記カラー画像を、前記表示装置において使用されている色空間に相応する色空間に変換する、請求項６記載の方法。
【請求項８】
前記表示装置に伝達されるべき前記データを、リアルタイム性の通信接続を介して伝達する、請求項１から７までのいずれか１項記載の方法。
【請求項９】
前記リアルタイム性の通信は、ＷｅｂＲＴＣ規格に従って形成されている、請求項８記載の方法。
【請求項１０】
前記表示装置に伝達された前記データを、前記表示装置で、操作領域内に表示する、請求項１から９までのいずれか１項記載の方法。
【請求項１１】
前記操作領域をブラウザに表示する、請求項１０記載の方法。
【請求項１２】
ラスタライズされた前記印刷データを、前記表示装置に伝達する前に、前記印刷機器内で圧縮する、請求項１から１１までのいずれか１項記載の方法。
【請求項１３】
ファンクションコード（２７）が制御プロセスをホストコンピュータ（１０）で作成し、
前記制御プロセスは前記印刷データストリームを個々のセグメントに分割し、
前記ラスタ装置は複数のラスタコンピュータ（１１）を含んでおり、
前記制御プロセスは前記個々のセグメントを種々の前記ラスタコンピュータ（１１）に分配し、前記各セグメントは所定の色の各色分解版においてラスタライズされ、当該色分解版はインタフェースコンピュータ（１２）で収集され、
各インタフェースコンピュータ（１２）は１つの印刷機構（６）に割り当てられている、請求項１から１２までのいずれか１項記載の方法。
【請求項１４】
相応する一部分が、各色分解版から種々の前記インタフェースコンピュータ（１２）で読み出されるように、前記ホストコンピュータ（１０）に構築されているページビューモジュール（７０）が、緩衝記憶された、ラスタライズされた前記印刷データの前記一部分の前記読み出しを制御する、請求項１３記載の方法。
【請求項１５】
相応する一部分が、各色分解版から種々の前記ラスタコンピュータ（１１）で読み出されるように、前記ホストコンピュータ（１０）に構築されているページビューモジュール（７０）が、緩衝記憶された、ラスタライズされた前記印刷データの前記一部分の前記読み出しを制御する、請求項１３記載の方法。
【請求項１６】
複数の前記色分解版の、読み出された複数の前記一部分を、前記表示装置に伝達する前に、印刷像の１つの一部分にまとめる、請求項１４または１５記載の方法。
【請求項１７】
製造システム、特に印刷システムであって、
当該製造システムは複数のコンポーネントを含んでおり、当該コンポーネントはそれぞれ１つのクライアントコンピュータ（４，５，１４，１５，１７）を有しており、
当該クライアントコンピュータは、データ接続を介して、ホストコンピュータ（１０）と接続されており、
請求項１から１６までのいずれか１項記載の方法を実行するために、前記ホストコンピュータ（１０）および前記クライアントコンピュータ（４，５，１４，１５，１７）にソフトウェアが格納されており、かつ、前記ホストコンピュータ（１０）および前記クライアントコンピュータ（４，５，１４，１５，１７）で当該ソフトウェアが実行可能である、
ことを特徴とする製造システム。
【外国語明細書】
2017001388.tif 000019
2017001388.tif 000020
2017001388.tif 000021
2017001388.tif 000022
2017001388.tif 000023
2017001388.tif 000024
2017001388.tif 000025
2017001388.tif 000026
2017001388.tif 000027
2017001388.tif 000028
2017001388.tif 000029
2017001388.tif 000030
2017001388.tif 000031
2017001388.tif 000032
2017001388.tif 000033
2017001388.tif 000034
2017001388.tif 000035
2017001388.tif 000036
2017001388.tif 000037
2017001388.tif 000038
2017001388.tif 000039
2017001388.tif 000040
2017001388.tif 000041
2017001388.tif 000042
2017001388.tif 000043
2017001388.tif 000044
2017001388.tif 000045
2017001388.tif 000046
2017001388.tif 000047
2017001388.tif 000048
2017001388.tif 000049
2017001388.tif 000050
2017001388.tif 000051
2017001388.tif 000052
2017001388.tif 000053
2017001388.tif 000054
2017001388.tif 000055
2017001388.tif 000056
2017001388.tif 000057
2017001388.tif 000058
2017001388.tif 000059
2017001388.tif 000060
2017001388.tif 000061
2017001388.tif 000062
2017001388.tif 000063
2017001388.tif 000064
2017001388.tif 000065
2017001388.tif 000066
2017001388.tif 000067
2017001388.tif 000068
2017001388.tif 000069